(57)【要約】【課題】発電効率の低下やコストの上昇を抑えつつ、停止中にカソード極もしくはアノード極へ空気などが流入することを防止できるようにすること。【解決手段】実施形態の燃料電池コジェネレーションシステムは、燃料電池本体１のカソード極３に冷却水の一部を供給するための冷却水供給ライン１２と、冷却水供給ライン１２による冷却水の供給と遮断と開閉動作により切り替えることが可能な第１の弁１３と、カソード極３に供給した冷却水を排出するための冷却水排出ライン１４と、冷却水排出ライン１４による冷却水の排出と遮断とを開閉動作により切り替えることが可能な第２の弁１５とを具備し、システムの運転停止の際に、第１の弁１３を開くとともに第２の弁１５を閉じ、冷却水供給ライン１２を通じてカソード極３に冷却水を供給することによりカソード極３を冷却水で満たす。【選択図】図１
2013026182.tif 000002
【特許請求の範囲】
【請求項１】
燃料電池本体のカソード極に冷却水の一部を供給するための冷却水供給ラインと、前記冷却水供給ラインによる冷却水の供給と遮断とを開閉動作により切り替えることが可能な第１の弁と、前記カソード極に供給した冷却水を排出するための冷却水排出ラインと、前記冷却水排出ラインによる冷却水の排出と遮断とを開閉動作により切り替えることが可能な第２の弁とを具備し、運転停止の際に、前記第２の弁を閉じた状態で前記第１の弁を開き、前記冷却水供給ラインを通じて前記カソード極に冷却水を供給することにより前記カソード極を冷却水で満たすことを特徴とする燃料電池コジェネレーションシステム。
【請求項２】
請求項１に記載の燃料電池コジェネレーションシステムにおいて、前記カソード極の入口もしくは出口のライン上に水位計を備え、供給した冷却水の水位を前記水位計により計測し、一定の水位まで冷却水を供給するようにしたことを特徴とする燃料電池コジェネレーションシステム。
【請求項３】
燃料電池本体のアノード極に冷却水の一部を供給するための冷却水供給ラインと、前記冷却水供給ラインによる冷却水の供給と遮断とを開閉動作により切り替えることが可能な第１の弁と、前記アノード極に供給した冷却水を排出するための冷却水排出ラインと、前記冷却水排出ラインによる冷却水の排出と遮断とを開閉動作により切り替えることが可能な第２の弁とを具備し、運転停止の際に、前記第２の弁を閉じた状態で前記第１の弁を開き、前記冷却水供給ラインを通じて前記アノード極に冷却水を供給することにより前記アノード極を冷却水で満たすことを特徴とする燃料電池コジェネレーションシステム。
【請求項４】
請求項３に記載の燃料電池コジェネレーションシステムにおいて、前記アノード極の入口もしくは出口のライン上に水位計を備え、供給した冷却水の水位を前記水位計により計測し、一定の水位まで冷却水を供給するようにしたことを特徴とする燃料電池コジェネレーションシステム。
【請求項５】
カソード極およびアノード極を有する燃料電池本体を備えた燃料電池コジェネレーションシステムに適用される燃料電池制御方法であって、
運転停止の際に、冷却水供給ラインから冷却水の一部を前記カソード極もしくはアノード極に流入させ、当該カソード極もしくはアノード極を冷却水で満たすことを特徴とする燃料電池制御方法。
【発明の詳細な説明】
【技術分野】
【０００１】
本発明の実施形態は、燃料電池コジェネレーションシステムおよび燃料電池制御方法に関する。
【背景技術】
【０００２】
例えば家庭用の燃料電池コジェネレーションシステムでは、都市ガスあるいはＬＰＧを原燃料として水素に改質し、改質した水素と空気中の酸素とを反応させて発生した電力及び排熱を利用する。運転停止時に燃料電池のアノード或いはカソード側に空気が存在すると、高電位となり、電池触媒の劣化が発生する。また、アノード側に空気が滞留している状態でアノード燃料である水素が流入すると、局部的に高電位な状態が発生し、電池本体に不可逆的なダメージが発生する可能性がある。そこで、アノード極の入出口およびカソード極の入出口にそれぞれ遮断弁を設け、運転停止中に発電直前までアノード極及びカソード極に空気が流入しない構成をとることが一般的である。
【先行技術文献】
【特許文献】
【０００３】
【特許文献１】特開２００８−４７３００号公報
【発明の概要】
【発明が解決しようとする課題】
【０００４】
しかしながら、従来の構成ではアノード極の入出口およびカソード極の入出口にそれぞれ遮断弁を設けることが必要である。また、運転時に遮断弁を開くが、そのときに遮断弁を燃料又は空気が通過する際の圧力損失（以下「圧損」と称す。）は無視できず、結果として、アノード遮断弁での圧損により燃料供給機の動力が増加し、また、カソード遮断弁での圧損によりカソード空気供給機の動力が増加する。いずれも発電効率の低下を引き起こす。また、前述の遮断弁は、電源が停止した際に空気などのガスが流入することを防止するため、通常は無電源時に閉とする。すなわち、燃料供給ライン上に設定された２つの遮断弁を無電源時に閉とするため、燃料供給ラインの圧力上昇による破損を防止する必要があり、そのために燃料入口からアノード極入口までの間に安全弁を設置する必要がある。
【０００５】
このように従来の構成では、遮断弁設置による発電効率の低下や、安全弁などの機器の追加による燃料電池コジェネレーションシステムのコスト上昇が発生する。
【０００６】
本発明が解決しようとする課題は、発電効率の低下やコストの上昇を抑えつつ、運転停止中にカソード極もしくはアノード極へ空気などが流入することを防止することが可能な燃料電池コジェネレーションシステムおよび燃料電池制御方法を提供することである。
【課題を解決するための手段】
【０００７】
実施形態の燃料電池コジェネレーションシステムは、燃料電池本体のカソード極に冷却水の一部を供給するための冷却水供給ラインと、前記冷却水供給ラインによる冷却水の供給と遮断とを開閉動作により切り替えることが可能な第１の弁と、前記カソード極に供給した冷却水を排出するための冷却水排出ラインと、前記冷却水排出ラインによる冷却水の排出と遮断とを開閉動作により切り替えることが可能な第２の弁とを具備し、運転停止の際に、前記第２の弁を閉じた状態で前記第１の弁を開き、前記冷却水供給ラインを通じて前記カソード極に冷却水を供給することにより前記カソード極を冷却水で満たすことを特徴とする。
【０００８】
また、実施形態の燃料電池コジェネレーションシステムは、燃料電池本体のアノード極に冷却水の一部を供給するための冷却水供給ラインと、前記冷却水供給ラインによる冷却水の供給と遮断とを開閉動作により切り替えることが可能な第１の弁と、前記アノード極に供給した冷却水を排出するための冷却水排出ラインと、前記冷却水排出ラインによる冷却水の排出と遮断とを開閉動作により切り替えることが可能な第２の弁とを具備し、運転停止の際に、前記第２の弁を閉じた状態で前記第１の弁を開き、前記冷却水供給ラインを通じて前記アノード極に冷却水を供給することにより前記アノード極を冷却水で満たすことを特徴とする。
【０００９】
また、実施形態の燃料電池制御方法は、カソード極およびアノード極を有する燃料電池本体を備えた燃料電池コジェネレーションシステムに適用される燃料電池制御方法であって、運転停止の際に、冷却水供給ラインから冷却水の一部を前記カソード極もしくはアノード極に流入させ、当該カソード極もしくはアノード極を冷却水で満たすことを特徴とする。
【発明の効果】
【００１０】
本発明によれば、発電効率の低下やコストの上昇を抑えつつ、運転停止中にカソード極もしくはアノード極へ空気などが流入することを防止することが可能となる。
【図面の簡単な説明】
【００１１】
【図１】第１の実施形態に係る燃料電池コジェネレーションシステムの主要部の構成を示す概略構成図。
【図２】第２の実施形態に係る燃料電池コジェネレーションシステムの主要部の構成を示す概略構成図。
【発明を実施するための形態】
【００１２】
以下、実施の形態について、図面を参照して説明する。
【００１３】
（第１の実施形態）
図１は、第１の実施形態に係る燃料電池コジェネレーションシステムの主要部の構成を示す概略構成図である。
【００１４】
なお、図中の矢印Ｇは、重力の方向を示す。すなわち、図中の上側に記載されている要素は比較的高い位置に存在し、図中の下側に記載されている要素は比較的低い位置に存在することを表している。
【００１５】
この第１の実施形態に係る燃料電池コジェネレーションシステムは、図１に示すように、燃料電池本体１、アノード極２、カソード極３、冷却水板４、アノード極入口遮断弁５、アノード極出口遮断弁６、冷却水ポンプ９、冷却水タンク１０、冷却水配管１１、カソード極冷却水供給ライン（冷却水バイパスライン）１２、カソード極冷却水供給遮断弁１３、カソード極冷却水排出ライン１４、カソード極冷却水排出遮断弁１５、カソード極冷却水水位計２０、および制御部３０を有する。
【００１６】
燃料電池本体１は、アノード極２、カソード極３、および冷却水板４から構成される。アノード極２、カソード極３、および冷却水板４は、それぞれ内部に種類の異なる多孔質体を用いて構成されており、供給される冷却水を吸収したり、いったん吸収した冷却水を脱水したりすることができる。
【００１７】
アノード極２は、アノード極入口から供給される水素を消費する。消費しきれなかった水素は、アノード極出口から排出される。
【００１８】
カソード極３は、カソード極入口から供給される空気（酸素）を消費する。消費しきれなかった空気（酸素）は、カソード極出口から排出される。
【００１９】
冷却水板４は、供給される冷却水を取り込み、燃料電池本体１での発電の際に発する排熱を回収した冷却水を排出する。
【００２０】
アノード極入口遮断弁５は、システムの運転中は開いており、水素をアノード極２へ供給するが、システムの運転停止の際には閉じ、アノード極２へ供給する水素を遮断するとともに、アノード極２に外部の空気などが流入するのを防ぐ。
【００２１】
アノード極出口遮断弁６は、システムの運転中は開いており、アノード極出口から消費しきれなかった水素を排出するが、システムの運転停止の際には閉じ、アノード極２から排出する水素を遮断するとともに、アノード極２に外部の空気などが流入するのを防ぐ。
【００２２】
冷却水ポンプ９は、冷却水タンク１０の冷却水を燃料電池本体１の要部へ供給して再び冷却水タンク１０に回収するための動力を発生する。これにより、基本的には冷却水タンク１０の冷却水が冷却水配管１１を通じて冷却水板４へ供給されて再び冷却水タンク１０に戻る。さらに、システムの運転停止の際には、当該冷却水の一部がカソード極冷却水供給ライン１２を通じてカソード極３に供給されてカソード極３の内部（多孔質体）が冷却水で満たされる。また、システムの運転開始の際には、カソード極３を満たした冷却水が冷却水タンク１０に戻る。
【００２３】
冷却水タンク１０は、冷却水板４から排出される冷却水を回収するとともに、カソード極３から排出される冷却水を回収する。
【００２４】
冷却水配管１１は、冷却水ポンプ９によって冷却水タンク１０から送られてくる冷却水を冷却水板４へ供給する。
【００２５】
カソード極冷却水供給ライン１２は、冷却水配管１１の所定の位置から分岐し、カソード極冷却水供給遮断弁１３を介してカソード極出口側の空気排出ライン上の所定の位置へと繋がるように設けられた配管であり、カソード極冷却水供給遮断弁１３が開いており且つカソード極冷却水排出遮断弁１５が閉じているときに、冷却水ポンプ９により冷却水タンク１０から送られてくる冷却水の一部を取り込み、取り込んだ冷却水をカソード極出口側の空気排出ラインを通じてカソード極３の内部へ供給する。なお、このカソード極冷却水供給ライン１２を、カソード極出口側の空気排出ライン上の所定の位置へ繋がるようにする代わりに、カソード極入口側の空気供給ライン上の所定の位置へ繋がるようにしてもよい。あるいは、カソード極冷却水供給ライン１２を、カソード極出口側の空気排出ライン上の所定の位置へ繋がるとともに、カソード極入口側の空気供給ライン上の所定の位置へも繋がるようにしてもよい。
【００２６】
カソード極冷却水供給遮断弁１３は、カソード極冷却水供給ライン１２に設けられた開閉弁であり、カソード極冷却水供給ライン１２による冷却水の供給と遮断とを開閉動作により切り替えることができる。
【００２７】
カソード極冷却水排出ライン１４は、カソード極出口側の空気排出ライン上の所定の位置からカソード極冷却水排出遮断弁１５を介して冷却水タンク１０へと繋がるように設けられた配管であり、カソード極冷却水供給遮断弁１３が閉じており且つカソード極冷却水排出遮断弁１５が開いているときに、カソード極３に供給された冷却水をカソード極出口側の空気排出ラインを通じて冷却水タンク１０へ排出する。
【００２８】
カソード極冷却水排出遮断弁１５は、カソード極冷却水排出ライン１４に設けられた開閉弁であり、カソード極冷却水排出ライン１４による冷却水の排出と遮断とを開閉動作により切り替えることができる。
【００２９】
カソード極冷却水水位計２０は、例えばカソード極出口側の空気排出ライン上の所定の位置に設けられ、カソード極３の内部（多孔質体）に供給される冷却水の水位を計測し、一定の水位に達したときにその旨を示す信号を発生する。なお、このカソード極冷却水水位計２０を、カソード極出口側の空気排出ライン上の所定の位置に設ける代わりに、カソード極入口側の空気供給ライン上の所定の位置に設けるようにしてもよい。いずれの場合も、カソード極冷却水水位計２０は、カソード極入口の位置と同等の高さの位置、もしくはこの高さよりも少し高い位置に配置することが望ましい。このようにすると、空気排出ラインの一部および空気供給ラインの一部を含むカソード極３全体が冷却水で満たされてカソード極３に外部の空気などが流入しない状態を検出することができる。カソード極冷却水水位計２０が検出した結果を示す信号は、制御部３０へ送られる。
【００３０】
制御部３０は、カソード極冷却水水位計２０から送られてくる信号などを取り込み、各種の弁５，６，１３，１５の開閉制御や冷却水ポンプ９の駆動制御などを含む各種の制御を行う。
【００３１】
上記構成において、システムの運転中、制御部３０はカソード極冷却水供給遮断弁１３を閉じるとともにカソード極冷却水排出遮断弁１５を閉じている。
【００３２】
システムの運転停止の際には、制御部３０は、カソード極冷却水排出遮断弁１５を閉じた状態でカソード極冷却水供給遮断弁１３を開き、冷却水ポンプ９を暫く動作させることにより、カソード極冷却水供給ライン１２およびカソード極出口側の空気排出ラインを通じてカソード極３に冷却水を供給して、カソード極３全体を冷却水で満たすための制御を行う。なお、カソード極３に流入した冷却水は、冷却水板４に浸透し、さらにアノード極２にも浸透し、電力電池本体１内部の水位が徐々に上昇する。制御部３０は、カソード極冷却水水位計２０が一定の水位を検出したときに、冷却水ポンプ９を停止させ、カソード極冷却水供給遮断弁１３を閉じる。
【００３３】
システムの運転開始の際には、制御部３０は、カソード極冷却水供給遮断弁１３を閉じた状態でカソード極冷却水排出遮断弁１５を開き、カソード極３に供給した冷却水をカソード極出口側の空気排出ラインおよびカソード極冷却水排出ライン１４を通じて冷却水タンク１０へ排出するための制御を行い、燃料電池本体１から冷却水がすべて排出された後に、カソード極冷却水排出遮断弁１５を閉じ、システムの通常運転を実施する。
【００３４】
なお、本実施形態では、カソード極３全体が冷却水で満たされた状態をカソード極冷却水水位計２０を用いて検出する場合を例示したが、これを用いる代わりに、タイマーを用いて検出するようにしてもよい。この場合、カソード極３への冷却水の供給を開始してから一定時間が経過した時点で、カソード極３全体が冷却水で満たされたものとみなし、その旨の信号を発生するようにする。
【００３５】
この第１の実施形態によれば、従来においてカソード極入口側の空気供給ライン上に設けていたカソード極入口遮断弁やカソード極出口側の空気排出ライン上に設けていたカソード極出口遮断弁を設置することなく、冷却水バイパスラインからの冷却水でカソードを安全で且つ十分な水位にて水封することにより、カソード極に外部の空気などが流入することを防止することができる。これにより、従来の遮断弁による圧力損失の問題を解消し、かつ燃料電池本体の触媒の劣化や不可逆的なダメージを防ぐことができる。
【００３６】
また、従来はカソード極に空気を供給する流量や供給した空気を排出する流量が大きいため、カソード極入口側の空気供給ライン上に設けていたカソード極入口遮断弁やカソード極出口側の空気排出ライン上に設けていたカソード極出口遮断弁には、燃料電池に使用しているその他遮断弁と比較して大型のものが使用されていたが、この第１の実施形態によればカソード極３に冷却水を供給する流量や供給した冷却水を排出する流量は小さいため、従来のカソード極入口遮断弁やカソード極出口遮断弁と比較して小型の弁１３，１５を適用することができ、コストを削減することができる。
【００３７】
（第２の実施形態）
図２は、第２の実施形態に係る燃料電池コジェネレーションシステムの主要部の構成を示す概略構成図である。なお、前述の第１の実施形態（図１）と共通する要素には同一の符号を付し、重複する説明を省略する。以下では、前述の第１の実施形態と異なる部分を中心に説明する。
【００３８】
この第２の実施形態に係る燃料電池コジェネレーションシステムは、図２に示すように、前述の第１の実施形態（図１）に示した各種要素に加えて、アノード極冷却水供給ライン１６、アノード極冷却水供給遮断弁１７、アノード極冷却水排出ライン１８、アノード冷却水排出遮断弁１９、およびアノード極冷却水水位計２１をさらに有する。
【００３９】
アノード極冷却水供給ライン１６は、カソード極冷却水供給ライン１２の所定の位置から分岐し、アノード極冷却水供給遮断弁１７を介してアノード極出口側の水素排出ライン上の所定の位置へと繋がるように設けられた配管であり、アノード極冷却水供給遮断弁１３およびアノード極冷却水供給遮断弁１７が開いており且つアノード極冷却水排出遮断弁１５およびアノード冷却水排出遮断弁１９が閉じているときに、冷却水ポンプ９により冷却水タンク１０からカソード極冷却水供給ライン１２を通じて送られてくる冷却水の一部を取り込み、取り込んだ冷却水をアノード極出口側の水素排出ラインを通じてアノード極２の内部へ供給する。なお、このアノード極冷却水供給ライン１６を、アノード極出口側の水素排出ライン上の所定の位置へ繋がるようにする代わりに、アノード極入口側の水素供給ライン上の所定の位置へ繋がるようにしてもよい。あるいは、アノード極冷却水供給ライン１６を、アノード極出口側の水素排出ライン上の所定の位置へ繋がるとともに、アノード極入口側の水素供給ライン上の所定の位置へも繋がるようにしてもよい。
【００４０】
アノード極冷却水供給遮断弁１７は、アノード極冷却水供給ライン１６に設けられた開閉弁であり、アノード極冷却水供給ライン１６による冷却水の供給と遮断とを開閉動作により切り替えることができる。
【００４１】
アノード極冷却水排出ライン１８は、アノード極出口側の水素排出ライン上の所定の位置からアノード冷却水排出遮断弁１９を介して冷却水タンク１０へと繋がるように設けられた配管であり、アノード極冷却水供給遮断弁１７が閉じており且つアノード冷却水排出遮断弁１９が開いているときに、アノード２に供給された冷却水をアノード極出口側の水素排出ラインを通じて冷却水タンク１０へ排出する。
【００４２】
アノード冷却水排出遮断弁１９は、アノード極冷却水排出ライン１８に設けられた開閉弁であり、アノード極冷却水排出ライン１８による冷却水の排出と遮断とを開閉動作により切り替えることができる。
【００４３】
アノード極冷却水水位計２１は、例えばアノード極出口側の水素排出ライン上の所定の位置に設けられ、アノード極２の内部（多孔質体）に供給される冷却水の水位を計測し、一定の水位に達したときにその旨を示す信号を発生する。なお、このアノード極冷却水水位計２１を、アノード極出口側の水素排出ライン上の所定の位置に設ける代わりに、アノード極入口側の水素供給ライン上の所定の位置に設けるようにしてもよい。いずれの場合も、アノード極冷却水水位計２１は、アノード極入口の位置と同等の高さの位置、もしくはこの高さよりも少し高い位置に配置することが望ましい。このようにすると、水素排出ラインの一部および水素供給ラインの一部を含むアノード極２全体が冷却水で満たされてアノード極２に外部の空気などが流入しない状態を検出することができる。アノード極冷却水水位計２１が検出した結果を示す信号は、制御部３０へ送られる。
【００４４】
制御部３０は、カソード極冷却水水位計２０およびアノード極冷却水水位計２１から送られてくる信号などを取り込み、各種の弁１３，１５，１７，１９の開閉制御や冷却水ポンプ９の駆動制御などを含む各種の制御を行う。
【００４５】
上記構成において、システムの運転中、制御部３０はカソード極冷却水供給遮断弁１３およびアノード極冷却水供給遮断弁１７を閉じるとともにカソード極冷却水排出遮断弁１５およびアノード冷却水排出遮断弁１９を閉じている。
【００４６】
システムの運転停止の際には、制御部３０は、カソード極冷却水排出遮断弁１５およびアノード冷却水排出遮断弁１９を閉じた状態でカソード極冷却水供給遮断弁１３およびアノード極冷却水供給遮断弁１７を開き、冷却水ポンプ９を暫く動作させることにより、カソード極冷却水供給ライン１２およびカソード極出口側の空気排出ラインを通じてカソード極３に冷却水を供給して、カソード極３全体を冷却水で満たすとともに、アノード極冷却水供給ライン１６およびアノード極出口側の水素排出ラインを通じてアノード２に冷却水を供給して、アノード２全体を冷却水で満たすための制御を行う。なお、カソード極３に流入した冷却水およびアノード２に流入した冷却水は、冷却水板４を通じて浸透し合い、電力電池本体１内部の水位が徐々に上昇する。制御部３０は、カソード極冷却水水位計２０が一定の水位を検出し、且つ、アノード極冷却水水位計２１が一定の水位を検出したときに、冷却水ポンプ９を停止させ、カソード極冷却水供給遮断弁１３を閉じるとともにおよびアノード極冷却水供給遮断弁１７を閉じる。
【００４７】
システムの運転開始の際には、制御部３０は、カソード極冷却水供給遮断弁１３およびアノード極冷却水供給遮断弁１７を閉じた状態でカソード極冷却水排出遮断弁１５およびアノード冷却水排出遮断弁１９を開き、カソード極３およびアノード２に供給した冷却水をカソード極出口側の空気排出ラインおよびカソード極冷却水排出ライン１４を通じて冷却水タンク１０へ排出するとともに、アノード極出口側の水素排出ラインおよびアノード極冷却水排出ライン１８を通じて冷却水タンク１０へ排出するための制御を行い、燃料電池本体１から冷却水がすべて排出された後に、カソード極冷却水排出遮断弁１５およびアノード冷却水排出遮断弁１９を閉じ、システムの通常運転を実施する。
【００４８】
なお、本実施形態においても、カソード極冷却水水位計２０やアノード極冷却水水位計２１を用いる代わりに、タイマーを用いてもよい。この場合、カソード極３およびアノード極２への冷却水の供給を開始してから一定時間が経過した時点で、燃料電池本体１全体が冷却水で満たされたものとみなし、その旨の信号を発生するようにする。
【００４９】
この第２の実施形態によれば、前述の第１の実施形態と同様の効果が得られるほか、従来においてアノード極入口側の水素供給ライン上に設けていたアノード極入口遮断弁やアノード極出口側の水素排出ライン上に設けていたアノード極出口遮断弁を設置することなく、冷却水バイパスラインからの冷却水でアノードを安全で且つ十分な水位にて水封することにより、アノード極に外部の空気などが流入することを防止することができる。これにより、より一層、従来の遮断弁による圧力損失の問題を解消し、かつ燃料電池本体の触媒の劣化や不可逆的なダメージを防ぐことができる。
【００５０】
また、従来のようにアノード極入口遮断弁を設ける必要がなくなったため、そのための安全弁も設ける必要がなくなり、小型の弁１７，１９を適用することができ、コストを削減することができる。その結果、全体として安価な燃料電池コジェネレーションシステムを提供することが可能となる。
【符号の説明】
【００５１】
１…燃料電池本体、２…アノード極、３…カソード極、４…冷却水板、５…アノード極入口遮断弁、６…アノード極出口遮断弁、９…冷却水ポンプ、１０…冷却水タンク、１１…冷却水配管、１２…カソード極冷却水供給ライン（冷却水バイパスライン）、１３…カソード極冷却水供給遮断弁、１４…カソード極冷却水排出ライン、１５…カソード極冷却水排出遮断弁、１６…アノード極冷却水供給ライン、１７…アノード極冷却水供給遮断弁、１８…アノード極冷却水排出ライン、１９…アノード冷却水排出遮断弁、２０…カソード極冷却水水位計、２１…アノード極冷却水水位計、３０…制御部。
【図１】
2013026182.tif 000003
【図２】
2013026182.tif 000004